(57)【特許請求の範囲】
【請求項１】
床に配設される温水配管（４０１）と、経路内を循環する水を加熱するための熱交換器（２０１）と、経路内の水が温度差によって膨張する体積分を吸収するための膨張タンク（２１０）と、経路内の水を循環させるための循環ポンプ（２１１）とを備える温水回路と、前記熱交換器（２０１）、前記膨張タンク（２１０）、前記循環ポンプ（２１１）を収納するケーシング（２２５）と、を含む床暖房装置であって、
前記膨張タンク（２１０）は、上部から水の補給が可能な給水口（２２６）と、前記給水口（２２６）の周辺の所定位置（２５７）を除いて前記ケーシング（２２５）の天板（２２４）に近接する高さまで立設され、前記給水口（２２６）の周辺にこぼれた水を前記所定位置（２５７）に案内する侵水規制リブ（２５６）とを備えることを特徴とする床暖房装置。
【請求項２】
前記膨張タンク（２１０）は、各部の制御を行うための制御回路を含む電装品（２３１）、前記熱交換器（２０１）、循環ポンプ（２１１）などとともに床暖房ユニットケーシング（２２５）内に収納され、
前記侵水規制リブ（２５６）は、前記給水口（２２６）から前記電装品（２３１）に対して遠ざかる位置を除いて設けられていることを特徴とする、請求項１に記載の床暖房装置。
【請求項３】
前記熱交換器（２０１）は、水が通過する通水経路（５０４）と、冷媒が通過する冷媒経路（５０５）とを備える多重管熱交換器であり、
前記多重管熱交換器の冷媒経路（５０５）とともに冷媒回路を構成する圧縮機（１０１）および室外熱交換器（１０４）とをさらに有する、請求項１または２に記載の床暖房装置。
【請求項４】
前記ケーシング（２２５）は、前記膨張タンク（２１０）の給水口（２２６）に対応する位置に給水用開口（２２８）を備えている、
請求項１から３のいずれか１項に記載の床暖房装置。
【発明の詳細な説明】
【０００１】
【発明の属する技術分野】
本発明は、ヒートポンプ式床暖房装置に関する。
【０００２】
【従来の技術】
通常の空気調和機では、室外機内に収納される圧縮機、室外熱交換器、四路切換弁および室内機内に収納される室内熱交換器により冷媒回路を構成している。四路切換弁を切り換えて、室外熱交換器が凝縮器として機能し、室内熱交換器が蒸発器として機能するように制御した場合には、冷房運転を行うことができる。また、四路切換弁を切り換えて、室外熱交換器が蒸発器として機能し、室内熱交換器が凝縮器として機能するように制御した場合には、暖房運転を行うことが可能となる。
【０００３】
外管の内部に内管が挿入され、内管内を通過する液体やガスと、外管と内管との間を通過する液体やガスとの間で熱交換を行ういわゆる二重管熱交換器が知られている。このような二重管熱交換器の一方の経路に水を導入し、他方の経路に冷媒を導入して熱交換させ、熱交換後の温水を室内の床に設置された温水配管内に循環させることによって床暖房が可能となる。この場合、室外機の圧縮機、室外熱交換器などから冷媒回路を分岐して二重管熱交換器に接続し、二重管熱交換器が冷媒の凝縮器として機能するように制御することで床暖房を行うことが可能となる。
【０００４】
【発明が解決しようとする課題】
二重管熱交換器、温水配管を含む温水回路には、経路内の水を循環させるための循環ポンプと、経路内の水が温度差によって膨張する体積分を吸収するための膨張タンクが設けられる。この膨張タンクには、設置時における給水や蒸発などによって減少した水の補給を行うために、上面に給水口が設けられる場合が多い。
【０００５】
また、膨張タンクは、二重管熱交換器や各部を制御するための制御回路を含む電装品とともに床暖房ユニットケーシング内に収納されている。したがって、膨張タンクの上面に設けられた給水口から給水を行う時に、給水口周辺にこぼれた水が他の部品を濡らしてしまうおそれがある。特に、制御回路などを搭載したプリント基板を含む電装品が侵水した場合には、制御回路が正常に動作しなくなる。
【０００６】
本発明は、床暖房装置の膨張タンクを介して温水回路に給水する場合に、簡単な構造で他の部品の侵水を防止できる構成を提案するものである。
【０００７】
【課題を解決するための手段】
本発明の請求項１に係る床暖房装置は、床に配設される温水配管と、経路内を循環する水を加熱するための熱交換器と、経路内の水が温度差によって膨張する体積分を吸収するための膨張タンクと、経路内の水を循環させるための循環ポンプとを備える温水回路と、熱交換器、膨張タンク、循環ポンプを収納するケーシングと、を含む床暖房装置であって、膨張タンクは、上部から水の補給が可能な給水口と、給水口の周辺の所定位置を除いてケーシングの天板に近接する高さまで立設され、給水口の周辺にこぼれた水を所定位置に案内する侵水規制リブとを備える。
【０００８】
この場合、侵水規制リブが設けられていない所定位置を、他の部品が配置されていない方向に設定することによって、膨張タンクへの給水時に給水口周辺にこぼれた水による他の部品の侵水を防止することができる。
本発明の請求項２に係る床暖房装置は、請求項１に記載の床暖房装置であって、膨張タンクは、各部の制御を行うための制御回路を含む電装品、熱交換器、循環ポンプなどとともに床暖房ユニットケーシング内に収納され、侵水規制リブは、給水口から電装品に対して遠ざかる位置を除いて設けられていることを特徴としている。
【０００９】
この場合、侵水規制リブが給水口から電装品に対して遠ざかる位置を除いて設けられており、電装品の侵水を防止することができる。
本発明の請求項３に記載の床暖房装置は、請求項１または２に記載の床暖房装置であって、熱交換器は、水が通過する通水経路と、冷媒が通過する冷媒経路とを備える多重管熱交換器であり、多重管熱交換器の冷媒経路とともに冷媒回路を構成する圧縮機および室外熱交換器とをさらに有している。
【００１０】
この場合には、圧縮機、室外熱交換器を備える空気調和機の冷媒回路を分岐させて、多重管熱交換器の冷媒経路に冷媒を導入し、温水回路内の水を加熱することが可能となる。
本発明の請求項４に記載の床暖房装置は、請求項１から３のいずれか１項に記載の床暖房装置であって、ケーシングは、膨張タンクの給水口に対応する位置に給水用開口を備えている。
【００１１】
【発明の実施の形態】
〔全体構成〕
本発明の１実施形態が採用される床暖房装置の全体構成を図１に示す。
この装置は、空気調和機の冷媒回路を分岐して冷媒回路内の冷媒を利用して床暖房を行うものである。空気調和機は、通常のセパレートタイプのものが用いられ、屋外に設置される室外空調ユニット１００と、室内に設置される室内空調ユニット３００とを備えている。室内空調ユニット３００は、図示したように、天井埋込カセット型の室内空調ユニット３０１、壁掛け型の室内空調ユニット３０２などを採用することができる。室内空調ユニット３００は、この他にもビルトインタイプのものを用いることが可能であり、複数の室内空調ユニットを接続してマルチタイプに構成することも可能である。室外空調ユニット１００内に収納されている圧縮機や室外熱交換器と、室内空調ユニット３００内に収納されている室内熱交換器とが、冷媒配管１５０によって接続されることによって空調を行うための第１冷媒回路が構成されている。
【００１２】
室外空調ユニット１００の上部には、床暖房ユニット２００が設置されている。床暖房ユニット２００は、冷媒と水との間で熱交換を行うための熱交換器を備えており、前述した第１冷媒回路から分岐された冷媒配管がこの熱交換器に接続されて、床暖房のための第２冷媒回路を構成している。
室内の床には、たとえば、表面をフローリング仕上げ４０２とした床暖房パネル４００が設けられている。この床暖房パネル４００の内部には、温水を循環させるための温水配管４０１が配設されている。この温水配管４０１は、温水パイプ２５０によって床暖房ユニット２００内の熱交換器と接続され、温水回路を構成する。
【００１３】
〔冷媒回路〕
この実施形態における冷媒回路を図２に示す。
室外空調ユニット１００には、圧縮機１０１と、圧縮機１０１の吐出側に接続される四路切換弁１０２と、圧縮機１０１の吸入側に接続されるアキュムレータ１０３と、四路切換弁１０２に接続された室外熱交換器１０４と、室外熱交換器１０４の出口側に接続される液分岐管１０７と、四路切換弁１０２に接続されるガス分岐管１０８と、液分岐管１０７に接続される電動膨張弁などで構成される減圧器１０９，１１０と、液閉鎖弁１１１，１１２と、ガス閉鎖弁１１３，１１４などを備えている。
【００１４】
また、室外空調ユニット１００には、室外熱交換器１０４の内部を通過する冷媒との間で熱交換を行うために、室外空気を取り入れて熱交換後の空気を排出する室外ファン１１５と、この室外ファン１１５を駆動するための室外ファンモータ１１６とを備えている。
室内空調ユニット３００には、室内熱交換器３０３と、室内空気を吸い込んで室内熱交換器３０３との間で熱交換を行った後の空気を室内に排出するための室内ファン３０４と、室内ファン３０４を駆動するための室内ファンモータ３０５と、液管接続ポート３０６と、ガス管接続ポート３０７とが設けられている。
【００１５】
室外空調ユニット１００の液閉鎖弁１１２、ガス閉鎖弁１１４が、それぞれ冷媒配管１５０を介して、室内空調ユニット３００の液管接続ポート３０６、ガス管接続ポート３０７に接続されることにより、空調用の第１冷媒回路を構成している。
床暖房ユニット２００には、二重管熱交換器２０１と、液管接続ポート２０２と、ガス管接続ポート２０３とを備えている。
【００１６】
二重管熱交換器２０１は、図５に示すように、外管５０１の内部に内管５０２を挿入した二重管５００で構成されている。内管５０２の外表面は、鋸歯状の多数のフィン５０３を立設し、内管５０２の内外における熱交換効率を高めるように構成されている。この二重管５００の内管５０２内部を水が通過する温水経路５０４とし、内管５０２と外管５０１との間を冷媒が通過する冷媒経路５０５とすることにより、冷媒と水との間で熱交換して通過する水を加熱することが可能となる。
【００１７】
床暖房ユニット２００内に収納するために、二重管５００の長さ方向両端で屈曲し、螺旋状に重合して平面視長円形に沿った形状に構成した二重管熱交換器２０１を図６に示す。
この二重管熱交換器２０１は、中間部に位置する熱交換器本体部５１１と、内管の一端から引き出された水出口配管部５１２と、内管の他端から引き出された水入口配管部５１３と、外管の一端から引き出された液配管部５１４と、外管の他端から引き出されたガス配管部５１５とを備えている。
【００１８】
図２において、二重管熱交換器２０１の液配管部５１４が液管接続ポート２０２に接続され、ガス配管部５１５がガス管接続ポート２０３に接続される。また、室外空調ユニット１００の液閉鎖弁１１１、ガス閉鎖弁１１３が、それぞれ床暖房ユニット２００の液管接続ポート２０２、ガス管接続ポート２０３に接続されることにより、床暖房用の第２冷媒回路を構成している。
【００１９】
〔温水回路〕
この実施形態における温水回路を図３に示す。
床暖房ユニット２００内には、二重管熱交換器２０１と、二重管熱交換器２０１の水出口配管部５１２に接続される膨張タンク２１０と、経路内に水を循環させる循環ポンプ２１１と、水の出口経路を分岐させる往きヘッダー２１２と、分岐経路毎に回路を閉鎖する温水閉鎖弁２１３と、分岐経路毎に設けられる出口ポート２１４と、分岐経路毎に設けられる入口ポート２１５と、入口ポート２１５と二重管熱交換器２０１の水入口配管部５１３の間に接続される戻りヘッダー２１６とを備えている。
【００２０】
床暖房ユニット２００の出口ポート２１４および入口ポート２１５は、それぞれ温水パイプ２５０を介して床暖房パネル４００の温水配管４０１に接続されており、これらにより温水回路が形成されている。
循環ポンプ２１１によってこの温水回路内の水を循環させるとともに、第２冷媒回路内の冷媒を循環させる。このとき、室内空調ユニット１００内の四路切換弁１０２（図２参照）を図点線位置となるように制御して、高温ガス冷媒を二重管熱交換器２０１に供給する。このことにより、二重管熱交換器２０１の温水経路５０４（図５参照）を通過する水が、冷媒経路５０５内を通過する高温ガス冷媒によって加熱されることとなる。加熱された温水は、出口ポート２１４、温水パイプ２５０を介して床暖房パネル４００の温水配管４０１に供給されることとなる。
【００２１】
〔床暖房ユニット〕
床暖房ユニット２００の概略構成を示す分解斜視図を図４に示す。
床暖房ユニット２００は、底板と側面板の一部が一体化されてなる底フレーム２２１と、配管カバー２２３と、天板２２４などからなるケーシング２２５を有している。このケーシング２２５の内部には、二重管熱交換器２０１、膨張タンク２１０、循環ポンプ２１１、往きヘッダー２１２、戻りヘッダー２１６などの温水回路部品が収納されている。
【００２２】
膨張タンク２１０の上面には、施工時の温水回路への給水や水の補給を行うための給水口２２６が設けられており、この給水口２２６を閉塞するためのタンクキャップ２２７が取り付けられる。天板２２４には、膨張タンク２１０の給水口２２６に対応する位置に給水用開口２２８が設けられており、この給水用開口２２８を閉塞するための給水口蓋２２９が取り付けられる。
【００２３】
循環ポンプ２１１は、底フレーム２２１に取り付けられて固定されている。
また、床暖房ユニット２００の各部を制御する制御回路を搭載したプリント基板を含む電装品を収納する電装品箱２３１が底フレーム２２１内部に取り付けられる。電装品箱２３１は、上面に防滴板２３２が取り付けられることによって、外部からの水の侵入を防止するように構成される。
【００２４】
二重管熱交換器２０１は、下部断熱部材２４１および上部断熱部材２４２からなる断熱材組立体によって覆われており、周辺と断熱されている。この断熱材組立体の構造について次に説明する。
〔断熱材組立体〕
二重管熱交換器２０１に取り付けられる断熱材の構造を図７の断面図に示す。
【００２５】
断熱材組立体２４０は、下部断熱部材２４１と上部断熱部材２４２とから構成されている。
下部断熱部材２４１と上部断熱部材２４２は、二重管熱交換器２０１の形状に沿った長円ドーナツ形状に形成されており、それぞれ二重管熱交換器２０１を収納するための収納用凹所２４３，２４４が形成されている。また、下部断熱部材２４１および上部断熱部材２４２接合面には、それぞれ嵌合用段部２４５，２４６が形成されており、この嵌合用段部２４５，２４６を嵌合することによって、下部断熱部材２４１の収納用凹所２４３および上部断熱部材２４２の収納用凹所２４４によって形成される二重管熱交換器２０１の収納空間２４７を密閉状態とすることが可能となっている。
【００２６】
下部断熱部材２４１と上部断熱部材２４２とは、それぞれ耐熱性および断熱性の高い合成樹脂の成型品で構成することが可能であり、たとえば耐熱性発泡ポリプロピレンの成型品で構成できる。
二重管熱交換器２０１をこのような断熱材組立体２４０で構成することにより、長円形状に沿って形成された二重管熱交換器２０１であっても周囲を包囲して断熱性を維持することが可能であり、二重管熱交換器２０１の熱交換効率を高く維持することが可能となる。
【００２７】
また、断熱材組立体２４０は、下部断熱部材２４１の嵌合用段部２４５と上部断熱部材２４２の嵌合用段部２４６を嵌合することによって組み立てることが容易であり、製作時の組立作業が簡単になる。また、断熱材組立体２４０の取付は接着剤を用いないため、容易に取り外すことができ、メンテナンス作業が容易になるとともにリサイクルが可能となる。
【００２８】
さらに、合成樹脂の成型品によって断熱材組立体２４０を作成する場合、二重管熱交換器２０１の形状に対応して任意の形状にすることが可能である。また、断熱材組立体２４０の内部に収納する二重管熱交換器２０１には、高温ガス冷媒が通過するが、耐熱性発泡ポリプロピレンの成型品により断熱材組立体２４０を構成する場合には、この高温ガス冷媒の温度に対しても劣化することがなく、加熱による寸法変化も著しく小さいため、熱変形による内部部品への影響を極力小さくすることができる。
【００２９】
この実施形態では、上下に分割可能な断熱材組立体２４０を示しているが、左右方向に分割されたもの、前後方向に分割されたもの、３以上のピースに分割可能なものなどの様々な形態を取り得る。
〔膨張タンク〕
膨張タンク２１０は、温水回路内の水が温度差によって膨張する体積分を吸収するためのものであり、施工時の給水および水補給の際の給水部を兼ねている。この膨張タンク２１０の構成を図８，図９に示す。図８は、膨張タンク２１０の平面図、図９はその右側面図である。
【００３０】
膨張タンク２１０は、ポリエチレンまたはポリプロピレンなどの合成樹脂で構成される略直方体形状のケーシング２５１を有している。ケーシング２５１は、成型品である上部ケーシング２５２と下部ケーシング２５３とを熱溶着または超音波溶着によって一体化することで構成することができる。
ケーシング２５１の上面には、給水のための給水口２２６が設けられている。給水口２２６は、給水のためのホースが挿入可能な大きさおよび形状となっており、異物が温水回路に混入することを防止するためのフィルタを備える構成とすることができる。フィルタは、たとえば、不織布や化学繊維などで袋状の集塵ネットを構成し、これを給水口に取り付けることができる。
【００３１】
このような床暖房装置は、新築時に施工される場合が多く、新築現場に設置されている水道から給水した場合には、温水回路内に砂や水道パイプの切りくず、その他のゴミが水と一緒に混入するおそれがある。給水口２２６にフィルタを設けた場合には、このような異物が温水回路内に混入することを防止でき、循環ポンプ２１１や温水閉鎖弁２１３などを損傷することがなくなる。このようなフィルタは、施工時の給水にのみ使用するように使い捨てのものを用いることができる。この場合、施工後にこのフィルタを取り外すことができるように、粘着剤などで給水口２２６に貼り付ける構成とすることができる。
【００３２】
ケーシング２５１の側面には、温水回路内を循環する水をケーシング２５１内に導入する流入口２５４と、ケーシング２５１内の水を排出する流出口２５５とが設けられている。図３に示すように、膨張タンク２１０の流入口２５４は二重管熱交換器２０１の水出口配管部５１２に接続され、流出口２５５は循環ポンプ２１１の吸入側に接続される。
【００３３】
〈侵水規制リブ〉
膨張タンク２５１の給水口２２６周辺にこぼれた水によって、電装品などの他の部品が侵水しないように、給水口２２６周辺に侵水規制リブ２５６が立設されている。侵水規制リブ２５６は、給水口２２６の図８左方向に位置する開放部２５７を除いて給水口２２６を取り囲むように設けられており、給水口２２６の周辺にこぼれた水を開放部２５７を介して外方に案内するように構成される。
【００３４】
図１０に示すように、膨張タンク２１０は、底フレーム２２１、天板２２４などを備えるケーシング内であって、少なくとも電装品箱２３１から遠ざかる方向に開放部２５７が位置するように収納される。このとき、膨張タンク２１０の給水口２２６に対応する位置となるように、天板２２４の給水用開口２２８が設けられている。
【００３５】
天板２２４の給水用開口２２８には給水口蓋２２９が取り付けられ、膨張タンク２１０の給水口２２６にはタンクキャップ２２７が取り付けられて温水回路が密閉状態に維持される。
膨張タンク２１０に給水する場合には、天板２２４に取り付けられている給水口蓋２２９を外し、さらに給水口２２６に取り付けられているタンクキャップ２２７を外して、水道に接続されたホース先端を給水口２２６に挿入して給水作業を行う。
【００３６】
このとき、ホース先端を給水口に挿入する際または抜き取る際にホース先端から給水口２２６周辺に水がこぼれた場合や給水量が多すぎることにより給水口２２６から水があふれる場合が考えられる。しかしながら、給水口２２６周辺に設けられている侵水規制リブ２５６によって、電装品箱２３１側に水が流れ出ることを規制し、開放部２５７より膨張タンク２１０の側面に沿って下方に水が案内されることとなる。膨張タンク２１０の下方に案内された水が底フレーム２２１（図４参照）上に到達する場合には、底フレーム２２１に水抜き穴を設けておくことで、外部に水を導出することが可能となる。
【００３７】
したがって、給水口２２６周辺にこぼれた水によって、電装品箱２３１が侵水することが防止でき、制御回路などの電子部品の損傷を防止できる。
侵水規制リブ２５６や開放部２５７の位置や形状については、膨張タンク２１０および電装品箱２３１の形状や配置に基づいて適宜変更することが可能であり、図示したものに限定されるものではない。
【００３８】
〈集塵用凹部〉
前述したように、施工時に給水する際に、温水回路内に砂や水道パイプの切りくず、その他のゴミが水と一緒に混入するおそれがある。また、温水配管４０１内部にも施工時にゴミなどの異物が入っている場合が考えられる。このような異物は、温水回路内を循環するうちに、循環ポンプ２１１などを損傷するおそれがある。
【００３９】
図８，図９に示すように、膨張タンク２１０の底面には、温水回路内の水に混入した異物を回収するための集塵用凹部２６１が設けられている。この集塵用凹部２６１は、膨張タンク２１０内部から水を排出する流出口２５５の近傍に位置して設けられている。
集塵用凹部２６１は、図１１に示すように、流出口２５５の下方に垂下される前壁部２６２と、最下部に位置する底壁部２６３と、膨張タンク２１０の底面から底壁部２６３になだらかに連続する傾斜壁部２６４とを備えている。膨張タンク２１０内を流入口２５４から流出口２５５に向けて流れる水は、概ね矢印Ａのように、集塵用凹部２６１の上方を通過することとなる。ゴミなどの水よりも比重の大きな異物は、矢印Ｂに示すように、傾斜壁部２６４に沿って集塵用凹部２６１内に収集されることとなる。集塵用凹部２６１の下流側はほぼ垂直に切り立った前壁部２６２が形成されているため、集塵用凹部２６１内の水は矢印Ａの水流にあまり影響を受けることなく、矢印Ｃのような対流となって集塵用凹部２６１内に留まることとなる。したがって、傾斜壁部２６４に沿って集塵用凹部２６１内に収集された異物は、流入口２５４から流出口２５５に向かう水流により流出口２５５側に引き込まれることなく、集塵用凹部２６１内に留まることとなり、この異物が温水回路内を循環することを防止できる。
【００４０】
集塵用凹部２６１として、図１２に示すように、前壁部２６２を流出口２５５の基底部よりも前方に位置させて設けることも可能である。この場合、流出口２５５の基底部よりも前方に位置する集塵用空間２６５内に異物を滞留させる効果が高くなり、温水回路内の異物を効率よく収集し、循環ポンプ２１１などの損傷を防止できる。
【００４１】
〈集塵用フィルタ〉
図１３，図１４に示すように、膨張タンク２１０の集塵用凹部２６１に代えて、膨張タンク２１０内部に集塵用フィルタ２７１を設けることができる。
ここでは、前述の膨張タンク２１０と同様にして、成型品である上部ケーシング２５２と下部ケーシング２５３とを熱溶着または超音波溶着によって一体化することでほぼ直方体形状のケーシング２５１を構成している。
【００４２】
ケーシング２５１の上面には、給水のための給水口２２６が設けられ、給水口２２６周辺には電装品などの侵水を防止するための侵水規制リブ２５６が立設されている。
ケーシング２５１の側面には、温水回路内を循環する水をケーシング２５１内に導入する流入口２５４と、ケーシング２５１内の水を排出する流出口２５５とが設けられている。
【００４３】
ケーシング２５１の内部空間を、給水口２２６および流入口２５４が含まれる第１空間部２７２と、流出口２５５が含まれる第２空間部２７３とに分断するように集塵用フィルタ２７１が取り付けられている。この集塵用フィルタ２７１は、金属製ネットまたは合成樹脂製ネットなどで構成することが可能であり、たとえば、４０〜６０メッシュで防カビ処理を施したポリプロピレン製ネットを用いることが可能である。
【００４４】
このような集塵用フィルタ２７１を取り付けた場合には、施工時や水補給時に給水口２２６を介して給水を行う際に、供給される水にゴミなどの異物が混入している場合であっても、集塵用フィルタ２７１に異物が引っかかることとなる。また、施工時に温水配管４０１内にゴミなどが残留している場合であっても、流入口２５４を介して膨張タンク２１０内に流入した異物が集塵用フィルタ２７１に引っかかって、再度温水回路内に流入することを防止できる。したがって、温水回路内を異物が循環することを防止することができ、このことから循環ポンプ２１１などの損傷を防止することができる。
【００４５】
なお、前述した膨張タンク２１０の底面に設けられる集塵用凹部の構成を併用することも可能であり、故障の原因を極力減少させることが可能となる。
〈水面検出手段〉
図１５に示すように、膨張タンク２１０内の水面位置を検出するためのフロートスイッチ２８１が設けられている。
【００４６】
フロートスイッチ２８１は、膨張タンク２１０の上面に設けられるフロートスイッチ取付用開口２８４から内部に垂下して取り付けられるものであり、パッキン２８３を介して取付用開口２８４に取り付けられる上部フランジ部２８２と、上部フランジ部２８２の下面から垂下されるステム２８５と、ステム２８５を上下方向に摺動可能に取り付けられるフロート２８６と、フロート２８６が所定位置になったときに検出信号を発生するリミットスイッチ（図示せず）とを備えている。
【００４７】
フロート２８６は、円柱状のステム２８５に嵌合する中空を備えたドーナツ形状であり、比重が水よりも小さく構成されている。このことにより、フロート２８６は、膨張タンク２１０内の水位に応じてステム２８５に沿って上下動する。また、フロート２８６は、内部に永久磁石などで構成された磁性体を備えており、ステム２８５に内装されているリミットスイッチの位置で、このリミットスイッチを作動させるように構成されている。
【００４８】
たとえば、膨張タンク２１０の内部の水が、図１５の補給水位Ｅに到達したときに、水の補給が必要である旨の信号を発生するように設定する場合、この補給水位Ｅの位置にリミットスイッチを配置し、フロート２８６がこの位置になったときにリミットスイッチが作動するように構成する。
フロートスイッチ２８１は、ケーシング２５１内の１つの角部であるフロートスイッチ取付部２８９に設けられている。このフロートスイッチ取付部２８９を流入口２５４から流入する水流による波から隔離するために、ケーシング２５１の底部から防波リブ２８７が立設されている。防波リブ２８７は、フロートスイッチ取付部２８９における水位を他の部分と同一にするための通水部２８８を除いて、フロートスイッチ取付部２８９を取り囲むように設けられている。また、防波リブ２８７の高さは、補給水位Ｅにおける誤検出やハンチングを防止するために、この補給水位Ｅを十分に超える高さに設定されている。
【００４９】
フロートスイッチ取付部２８９では、通水部２８８を通じて膨張タンク２１０内部の他の部分と同一水位となっており、また、防波リブ２８７によって波立ちが抑制されるように構成されている。したがって、少なくとも補給水位Ｅ近傍におけるフロートスイッチ２８１の誤検出やハンチングの発生を抑制することができ、ユーザへの水補給の指示を正確に行うことが可能となる。
【００５０】
また、防波リブ２８７は、フロートスイッチ２８１と、給水口２２６との間に位置して設けられている。したがって、給水口２２６にホース先端を挿入して給水を行う場合であっても、ホース先端が防波リブ２８７に当接して、フロートスイッチ取付部２８９側に突出することがなく、フロートスイッチ２８１を損傷することが防止できる。
【００５１】
水面検出手段としては、フロートスイッチの他にも種々のものを使用することが可能であり、図示したものに限定されるものではない。
【００５２】
【発明の効果】
本発明の請求項１に係る床暖房装置では、侵水規制リブが設けられていない所定位置を、他の部品が配置されていない方向に設定することによって、膨張タンクへの給水時に給水口周辺にこぼれた水による他の部品の侵水を防止することができる。
【００５３】
本発明の請求項２に係る床暖房装置では、侵水規制リブが給水口から電装品に対して遠ざかる位置を除いて設けられており、電装品の侵水を防止することができる。
本発明の請求項３に記載の床暖房装置では、圧縮機、室外熱交換器を備える空気調和機の冷媒回路を分岐させて、多重管熱交換器の冷媒経路に冷媒を導入し、温水回路内の水を加熱することが可能となる。
【図面の簡単な説明】
【図１】本発明の１実施形態が採用される床暖房装置の模式図。
【図２】その冷媒回路の一例を示す回路図。
【図３】その温水回路の一例を示す回路図。
【図４】床暖房ユニットの分解斜視図。
【図５】二重管熱交換器に使用される二重管の断面図。
【図６】二重管熱交換器の斜視図。
【図７】断熱材組立体の断面図。
【図８】膨張タンクの平面図。
【図９】膨張タンクの側面図。
【図１０】膨張タンクの設置状態を示す簡略縦断面図。
【図１１】膨張タンクの一部縦断面図。
【図１２】膨張タンクの他の例を示す一部縦断面図。
【図１３】膨張タンクの他の例を示す平面図。
【図１４】その側面図。
【図１５】水面検出手段の一例を示す縦断面図。
【符号の説明】
２１０  膨張タンク
２２６  給水口
２２７  タンクキャップ
２２８  給水用開口
２２９  給水口蓋
２３１  電装品箱
２５６  侵水規制リブ
２５７  開放部
【図１】
0003564553.tif 000002
【図２】
0003564553.tif 000003
【図３】
0003564553.tif 000004
【図４】
0003564553.tif 000005
【図５】
0003564553.tif 000006
【図６】
0003564553.tif 000007
【図７】
0003564553.tif 000008
【図８】
0003564553.tif 000009
【図９】
0003564553.tif 000010
【図１０】
0003564553.tif 000011
【図１１】
0003564553.tif 000012
【図１２】
0003564553.tif 000013
【図１３】
0003564553.tif 000014
【図１４】
0003564553.tif 000015
【図１５】
0003564553.tif 000016